(57)【要約】【課題】  ボックスと蓋体との着脱に関する耐久性に優れたコンテナを提供する。【解決手段】  本発明によれば、蓋体２０をボックス１１に着脱する際に係合操作片４０Ｈが外側に傾動されると、Ｌ形部材４０がモーメント負荷を受ける。そして、このモーメント負荷により、Ｌ形部材４０に備えた内面当接アーム４３，４３が包囲壁２１Ｂに形成された外側オフセット壁３２の内面に押し付けられると共に、Ｌ形部材４０に備えた上面当接アーム４４，４４が蓋体２０に形成された上部当接壁３３の上面に押し付けられる。即ち、Ｌ形部材４０に係るモーメント負荷は、蓋体２０の外側オフセット壁３２と上部当接壁３３とに分散してかかり、従来のように蓋体２０の一部でモーメント負荷が局所的に大きくなることが防がれる。これにより、ボックス１１と蓋体２０との着脱に関する耐久性を向上させることができる。【選択図】  図１０
2006264703.tif 000002
【特許請求の範囲】
【請求項１】
ボックスと、そのボックスの上面の開口を閉塞する蓋体とを備えてなり、前記ボックスの開口縁から側方に張り出した開口縁突部を、前記蓋体の外縁部から垂下した包囲壁にて包囲したコンテナであって、
前記包囲壁の複数箇所から下方に係合操作片を突出させ、それら係合操作片の内面に形成された蓋係止突起を前記開口縁突部の下面に係止することで前記ボックスに前記蓋体を固定すると共に、前記係合操作片を外側に傾動させて前記蓋係止突起と前記開口縁突部との係止を解除可能としたコンテナにおいて、
略水平方向に延びた水平突片の一端から操作突片を垂下してなるＬ形部材を前記蓋体と別体に形成し、前記包囲壁に形成された収容開口に前記操作突片の上部を収容する一方、前記操作突片の下部を前記包囲壁から下方に突出させて前記係合操作片とし、
前記操作突片には、前記包囲壁の内面に宛がわれる内面当接部が設けられ、
前記水平突片には、前記蓋体の上面に宛がわれる上面当接部が設けられたことを特徴とするコンテナ。
【請求項２】
前記水平突片と前記蓋体との間で互いに係合し、前記上面当接部が前記蓋体の上面から浮き上がらないように規制する浮上規制係止部を設けたことを特徴とする請求項１に記載のコンテナ。
【請求項３】
前記浮上規制係止部は、前記水平突片の先端から突出した係止突起と、前記蓋体に形成されて、前記係止突起が下方から係止する被係止部とからなることを特徴とする請求項２に記載のコンテナ。
【請求項４】
前記内面当接部は、前記操作突片から両側方に突出した１対の内面当接アームで構成され、前記上面当接部は、前記水平突片から両側方に突出した１対の上面当接アームで構成されたことを特徴とする請求項１乃至３に記載のコンテナ。
【請求項５】
前記内面当接アームは、前記包囲壁と前記開口縁突部との間に挟まれたことを特徴とする請求項４に記載のコンテナ。
【請求項６】
前記包囲壁のうち前記１対の内面当接アームが当接する部分を外側にオフセットさせて外側オフセット壁を形成し、前記内面当接アームの厚さを前記外側オフセット壁のオフセット量以下にしたことを特徴とする請求項４又は５に記載のコンテナ。
【請求項７】
前記蓋体の上面には、前記上面当接アームとの当接部分の周りを上側にオフセットさせて上側オフセット壁を形成し、前記上側オフセット壁の上面と前記上面当接アームの上面とを面一にしたことを特徴とする請求項４乃至６の何れかに記載のコンテナ。
【発明の詳細な説明】
【技術分野】
【０００１】
本発明は、ボックスの上面の開口を蓋体で閉塞してなるコンテナに関する。
【背景技術】
【０００２】
従来のコンテナの一例が、図１４及び図１５に示されている。このコンテナは、ボックス１の上面開口を蓋体２で閉塞してなる。その蓋体２の外縁部からは包囲壁３が垂下され、包囲壁３の複数箇所から下方に向けて係合操作片４が突出している。そして、図１５（Ａ）に示すように、係合操作片４に形成された蓋係止突起４Ａが、ボックス１の開口縁部に係止して蓋体２がボックス１に固定されている（例えば、特許文献１参照）。このコンテナは図１４に示した１対のレール５，５間に配置されて、ボックス１から蓋体２が取り外される。具体的には、これらレール５，５は一方に向かうに従って互いの間隔が徐々に広げられており、各係合操作片４をレール５，５の外側に係合させた状態にしてコンテナをレール５，５に沿って移動する。これにより、係合操作片４が外側に押し広げられ、蓋係止突起４Ａとボックス１との係止が解除されて蓋体２がボックス１から離脱する。
【特許文献１】実開昭５４−４４２２５号公報（第１図、第３図）
【発明の開示】
【発明が解決しようとする課題】
【０００３】
ところで、上記した従来のコンテナは、係合操作片４が外側に押されてモーメント負荷を受けると、係合操作片４と一体になった包囲壁３の上端角部Ｐ（図１５（Ｂ）参照）でそのモーメント負荷が最も大きくなり、上端角部Ｐが広げられるように変形する。このため、ボックス１に対する蓋体２の着脱が繰り返されると包囲壁３の上端角部Ｐが破損するという事態が生じていた。
【０００４】
本発明は、上記事情に鑑みてなされたもので、ボックスと蓋体との着脱に関する耐久性に優れたコンテナの提供を目的とする。
【課題を解決するための手段】
【０００５】
上記目的を達成するためになされた請求項１の発明に係るコンテナは、ボックスと、そのボックスの上面の開口を閉塞する蓋体とを備えてなり、ボックスの開口縁から側方に張り出した開口縁突部を、蓋体の外縁部から垂下した包囲壁にて包囲したコンテナであって、包囲壁の複数箇所から下方に係合操作片を突出させ、それら係合操作片の内面に形成された蓋係止突起を開口縁突部の下面に係止することでボックスに蓋体を固定すると共に、係合操作片を外側に傾動させて蓋係止突起と開口縁突部との係止を解除可能としたコンテナにおいて、略水平方向に延びた水平突片の一端から操作突片を垂下してなるＬ形部材を蓋体と別体に形成し、包囲壁に形成された収容開口に操作突片の上部を収容する一方、操作突片の下部を包囲壁から下方に突出させて係合操作片とし、操作突片には、包囲壁の内面に宛がわれる内面当接部が設けられ、水平突片には、蓋体の上面に宛がわれる上面当接部が設けられたところに特徴を有する。
【０００６】
請求項２の発明は、請求項１に記載のコンテナにおいて、水平突片と蓋体との間で互いに係合し、上面当接部が蓋体の上面から浮き上がらないように規制する浮上規制係止部を設けたところに特徴を有する。
【０００７】
請求項３の発明は、請求項２に記載のコンテナにおいて、浮上規制係止部は、水平突片の先端から突出した係止突起と、蓋体に形成されて、係止突起が下方から係止する被係止部とからなるところに特徴を有する。
【０００８】
請求項４の発明は、請求項１乃至３に記載のコンテナにおいて、内面当接部は、操作突片から両側方に突出した１対の内面当接アームで構成され、上面当接部は、水平突片から両側方に突出した１対の上面当接アームで構成されたところに特徴を有する。
【０００９】
請求項５の発明は、請求項４に記載のコンテナにおいて、内面当接アームは、包囲壁と開口縁突部との間に挟まれたところに特徴を有する。
【００１０】
請求項６の発明は、請求項４又は５に記載のコンテナにおいて、包囲壁のうち１対の内面当接アームが当接する部分を外側にオフセットさせて外側オフセット壁を形成し、内面当接アームの厚さを外側オフセット壁のオフセット量以下にしたところに特徴を有する。
【００１１】
請求項７の発明は、請求項４乃至６の何れかに記載のコンテナにおいて、蓋体の上面には、上面当接アームとの当接部分の周りを上側にオフセットさせて上側オフセット壁を形成し、上側オフセット壁の上面と上面当接アームの上面とを面一にしたところに特徴を有する。
【発明の効果】
【００１２】
［請求項１の発明］
請求項１の構成によれば、蓋体と別体に形成されたＬ形部材を蓋体に組み付けると、Ｌ形部材における操作突片の下部が包囲壁から下方に突出して係合操作片になる。そして、ボックスに蓋体が組み付けられると、係合操作片に備えた蓋係止突起がボックスの開口縁突部の下面に係止して、蓋体がボックスに固定される。また、係合操作片がボックスから離れる側に押されて傾動すると、蓋係止突起と開口縁突部の下面との係止が解除されて蓋体がボックスから離脱可能となる。ここで、係合操作片が外側に押されてモーメント負荷を受けると、Ｌ形部材に備えた内面当接部が包囲壁の内面に押し付けられると共に、Ｌ形部材に備えた上面当接部が蓋体の上面に押し付けられる。即ち、係合操作片を含むＬ形部材に係るモーメント負荷は、蓋体の包囲壁と蓋体の上面を構成する壁部とに分散してかかり、従来のように蓋体の一部でモーメント負荷が局所的に大きくなることが防がれる。これにより、ボックスと蓋体との着脱に関する耐久性を向上させることができる。
【００１３】
［請求項２及び３の発明］
蓋体がボックスから離脱した状態では、ボックスによるＬ形部材の傾動の規制がなくなる。このとき、請求項２の構成によれば、Ｌ形部材の水平突片と蓋体との間で浮上規制係合部が互いに係合して、上面当接部が蓋体の上面から浮き上がらないように規制される。これにより、Ｌ形部材全体の傾動が規制されて、蓋体からのＬ形部材の離脱を防ぐことができる。具体的には、浮上規制係止部は、水平突片の先端から突出した係止突起と、蓋体に形成されて係止突起が下方から係止する被係止部とで構成することができる（請求項３の発明）。
【００１４】
［請求項４の発明］
請求項４の構成によれば、Ｌ形部材のうち操作突片から両側方に突出した１対の側部突出アーム部が包囲壁の内面に宛がわれ、水平突片から両側方に突出した１対の上面当接アーム部が蓋体の上面に宛がわれる。これにより、係合操作片に係るモーメント負荷が、蓋体の包囲壁と蓋体の上面を構成する壁部とに分散される。
【００１５】
［請求項５の発明］
請求項５の構成によれば、係合操作片としての操作突片がボックス側に押された際に、内面当接アームがボックスの開口縁突部に当接して操作突片にかかるモーメント負荷が緩和される。
【００１６】
［請求項６の発明］
請求項６の構成によれば、内面当接アームは、外側オフセット壁の内面に宛がわれて包囲壁全体の内面からボックス側には突出しなくなる。これにより蓋体をボックスに取り付ける際に、内面当接アームとボックスの開口縁突部との干渉が防がれる。
【００１７】
［請求項７の発明］
請求項７の構成によれば、上側オフセット壁の上面が上面当接アームの上面と面一になるので、上面当接アームに物が引っ掛かって破損する事態が防がれる。
【発明を実施するための最良の形態】
【００１８】
［第１実施形態］
以下、本発明の一実施形態に係るコンテナ１０を図１〜図１１に基づいて説明する。図１に示すように、このコンテナ１０は、ボックス１１と蓋体２０とを備えてなる。ボックス１１は、平面形状が長方形をなし、上面に開口１１Ａ（図２参照）を備えている。そして、その開口１１Ａの縁部全体に開口縁突部１３（図２参照）が形成されている。図１０に示すように、開口縁突部１３は、ボックス１１の側壁１２における上端部を外側に折り返してなる。具体的には、開口縁突部１３は、側壁１２の上端部から外側水平方向に張り出した鍔壁１３Ａと、その鍔壁１３Ａの先端部から垂直下方に垂下した折返壁１３Ｂとを備え、これにより側壁１２における上端部を外側に折り返した構造になっている。また、側壁１２の外面には複数のリブ１５が垂直方向に延びており、それらリブ１５が鍔壁１３Ａ及び折返壁１３Ｂにも繋がっている。さらに、ボックス１１の側壁１２及び図示しない底壁には、全体に亘って複数の窓１６が形成されて、側壁１２及び底壁全体が略格子構造になっている。
【００１９】
図１に示すように、蓋体２０は、ボックス１１の平面形状に対応した長方形をなし、ボックス１１の上面に取り付けられてボックス１１の開口１１Ａを閉塞する。また、蓋体２０の外縁部には溝形枠部２１が備えられ、図２に示すように溝形枠部２１の内部に開口縁突部１３が収容される。詳細には、溝形枠部２１は、開口縁突部１３の鍔壁１３Ａに面当接する上面壁２１Ａと、上面壁２１Ａの外縁全体から下方に垂下して開口縁突部１３を側方から包囲する包囲壁２１Ｂと、ボックス１１の開口１１Ａ内側に嵌合する内側嵌合壁２１Ｃとを備えてなる。また、蓋体２０のうち溝形枠部２１の内側部分は略格子構造をなし、複数の窓２６を備えている。さらに、図１に示すように、蓋体２０全体の略中央部には荷物収容口２５が形成されており、スライド扉２７をスライドさせてこの荷物収容口２５が開閉されるようになっている。
【００２０】
蓋体２０における長短１対ずつの外縁部のうち、比較的長い側の１対の外縁部の両端寄り位置には部品取付部３０がそれぞれ設けられている。そして、蓋体２０と別体に形成されたＬ形部材４０が各部品取付部３０に組み付けられている。図２に示すように、部品取付部３０には、包囲壁２１Ｂの一部を外側（即ち、開口縁突部１３の折返壁１３Ｂから離れる側）にオフセットさせて外側オフセット壁３２が形成されている。また、この外側オフセット壁３２の両端部は、包囲壁２１Ｂへと傾斜して繋がった傾斜部３２Ｔになっている。
【００２１】
部品取付部３０には、上面壁２１Ａの一部を上側（即ち、開口縁突部１３の鍔壁１３Ａから離れる側）にオフセットさせて上側オフセット壁３４が形成されている。また、この上側オフセット壁３４の両端部は、上面壁２１Ａへと傾斜して繋がった傾斜部３４Ｔになっている。さらに、部品取付部３０には、図６に示すように、内側嵌合壁２１Ｃの一部を開口縁突部１３から離れる側に膨出して膨出部３５が形成されている。
【００２２】
図３に示すように、部品取付部３０には、上側オフセット壁３４の外縁側を矩形状に切除して凹部３４Ａが形成されると共に、外側オフセット壁３２の上端部から直角曲げされた上部当接壁３３が凹部３４Ａにおける上側オフセット壁３４の下面縁部に接続されている（図３参照）。これにより、部品取付部３０における上面には、上側オフセット壁３４と上部当接壁３３とがなす段差部が形成されている。
【００２３】
溝形枠部２１の長手方向において部品取付部３０の中心部には、収容開口３１が形成されている。収容開口３１は、包囲壁２１Ｂの一部としての外側オフセット壁３２と上面壁２１Ａの一部としての上部当接壁３３とを、一定の幅で外側オフセット壁３２の下端から上面壁２１Ａの中間部に亘って切除してなる。また、凹部３４Ａの奥部で収容開口３１に臨んだ上側オフセット壁３４の縁部は、本発明に係る被係止部３４Ｂになっている。
【００２４】
さて、Ｌ形部材４０は、略水平方向に延びた水平突片４２と、その水平突片４２の一端から垂下された操作突片４１とを備えている。これら操作突片４１及び水平突片４２は収容開口３１と同じ幅をなし、操作突片４１が水平突片４２に比べて長くなっている。そして、図２に示すように、これら操作突片４１及び水平突片４２が収容開口３１に収まり、操作突片４１の下端部が外側オフセット壁３２から下方に突出するようになっている。
【００２５】
Ｌ形部材４０のうち部品取付部３０に組み付けられて外側に臨んだ操作突片４１及び水平突片４２の外面には、リブ４５が形成されている。このリブ４５は、操作突片４１及び水平突片４２の外面における外縁部分に沿って形成されている。また、リブ４５は、操作突片４１及び水平突片４２の幅方向における中央部にも、水平突片４２の先端から操作突片４１の下端部に亘って形成されている。
【００２６】
操作突片４１の上下方向の中間部からは、両側方に向けて１対の内面当接アーム４３，４３が張り出されている。内面当接アーム４３は、図３に示すように、操作突片４１の側面のうち内面寄りに配置されている。内面当接アーム４３の板厚は、外側オフセット壁３２の包囲壁２１Ｂに対するオフセット量と略同一乃至はそれ以下になっている。また、図４に示すように、内面当接アーム４３と操作突片４１の内面は面一になっている。そして、Ｌ形部材４０が部品取付部３０に組み付けられると、図１０に示すように、内面当接アーム４３が部品取付部３０における外側オフセット壁３２とボックス１１の開口縁突部１３（詳細には折返壁１３Ｂ）との間に収まる。
【００２７】
図４に示すように、操作突片４１の内面における中間部からは、蓋係止突起４６が突出形成されている。蓋係止突起４６は、操作突片４１の幅方向全体に亘って延びている。蓋係止突起４６の下面における先端角部には、丸みを帯びた案内面４６Ａが形成されている。また、蓋係止突起４６の上部には、内面当接アーム４３の下面と丁度面一になった係止面４６Ｂが備えられている。そして、図１１に示すように、この係止面４６Ｂを開口縁突部１３の下面に係止させて蓋体２０がボックス１１に固定されている。
【００２８】
図３に示すように、水平突片４２の先端部からは、両側方に向けて１対の上面当接アーム４４，４４が張り出されている。上面当接アーム４４は、水平突片４２の側面のうち上面寄りに配置されている。また、上面当接アーム４４の上面とリブ４５の上面とは面一になっている。さらに、上面当接アーム４４の板厚は、部品取付部３０における上部当接壁３３と上側オフセット壁３４との段差と同じ寸法になっている。そして、図１１に示すように、上面当接アーム４４が部品取付部３０における上部当接壁３３の上面に宛がわれ、水平突片４２のうち上面当接アーム４４の下面より下方に突出した部分が収容開口３１内に収まる。
【００２９】
図４に示すように、水平突片４２の先端面からは、係止突起４７が突出している。係止突起４７は水平突片４２の幅方向全体に亘って形成され、上面当接アーム４４の下面と面一になった係止面４７Ｂを上部に備えている。また、係止突起４７には、係止突起４７の下面を係止突起４７の先端に向かうに従って徐々に係止面４７Ｂ側に接近させるように傾斜させた摺接面４７Ａが備えられている。そして、図１１に示すように、係止突起４７が上側オフセット壁３４における被係止部３４Ｂの下方に進入して、係止突起４７の係止面４７Ｂが被係止部３４Ｂの下面に係止する。
【００３０】
次に、上記構成からなる本実施形態の作用・効果を説明する。Ｌ形部材４０を蓋体２０に取り付けるには、図５に示すように、まず、Ｌ形部材４０の操作突片４１を寝かせて水平方向に向け、水平突片４２を操作突片４１の一端から起立させた姿勢にする。次いで、図６に示すように、上面当接アーム４４，４４と内面当接アーム４３，４３の間に蓋体２０の外側オフセット壁３２が配置されるようにして、操作突片４１における水平突片４２側の端部を収容開口３１における外側オフセット壁３２の開放部分に進入させる。そして、操作突片４１を上側オフセット壁３４の下面に宛がう。ここで、部品取付部３０における内側嵌合壁２１Ｃには膨出部３５が形成されているので、操作突片４１の端部が内側嵌合壁２１Ｃに干渉することはない。
【００３１】
次いで、内面当接アーム４３，４３の縁部を上部当接壁３３と外側オフセット壁３２との角部に押し付け、それら内面当接アーム４３，４３の縁部を支点にして操作突片４１を上側オフセット壁３４から離すように下方に回動させる。すると、これに伴って上面当接アーム４４が図７に示すように上部当接壁３３の上方に回り込む。そして、操作突片４１をさらに回動させると、係止突起４７の摺接面４７Ａが上側オフセット壁３４における被係止部３４Ｂの上縁部に摺接し、蓋体２０における被係止部３４Ｂの近傍及びＬ形部材４０における係止突起４７の近傍を変形させて、係止突起４７が被係止部３４Ｂを乗り越える。すると、蓋体２０及びＬ形部材４０の変形が元に戻り、係止突起４７の係止面４７Ｂが被係止部３４Ｂの下面に面当接して係止する（図９参照）。ここで、本実施形態のＬ形部材４０は、回動支点から係止突起４７までの距離（即ち、水平突片４２の長さ）に比べて、回動支点から操作突片４１の端部までの長さの方が長いので、操作突片４１の端部を操作することで、梃子の原理により係合操作の抵抗が緩和される。
【００３２】
また、係止突起４７が被係止部３４Ｂに係合すると、蓋体２０に対するＬ形部材４０全体の回動が規制されて、Ｌ形部材４０が蓋体２０に固定される。そして、図８に示すように、上面当接アーム４４，４４が上部当接壁３３の上面に面当接して、それら上面当接アーム４４，４４の上面が上側オフセット壁３４の上面と面一になる。また、上面当接アーム４４，４４が、上部当接壁３３と上側オフセット壁３４との段差面に隣接又は接合される。これらにより、Ｌ形部材４０の上部に物が引っ掛かることが少なくなる。
【００３３】
また、図１０に示すように、操作突片４１の上部が収容開口３１における外側オフセット壁３２の開放部分に収まりかつ内面当接アーム４３が外側オフセット壁３２の内面に宛がわれた状態になる。そして、内面当接アーム４３の内面が包囲壁２１Ｂ全体の内面と略面一になる。これにより、後述するように蓋体２０をボックス１１に取り付ける際に、内面当接アーム４３とボックス１１の開口縁突部１３との干渉が防がれる。
【００３４】
Ｌ形部材４０が組み付けられた蓋体２０をボックス１１に取り付けるには、蓋体２０をボックス１１の上面に押し付ければよい。すると、Ｌ形部材４０における蓋係止突起４６の案内面４６Ａが、ボックス１１の開口縁突部１３における鍔壁１３Ａの外縁部に摺接し、これによって操作突片４１が外側に押されて傾動する。そして、蓋係止突起４６の先端が開口縁突部１３における折返壁１３Ｂに摺接し、さらに蓋体２０がボックス１１側に押し付けられると蓋係止突起４６が折返壁１３Ｂを通過して操作突片４１が元の姿勢に戻り、折返壁１３Ｂの下面に蓋係止突起４６の係止面４６Ｂが係止する。これにより、蓋体２０がボックス１１に固定される。
【００３５】
一方、ボックス１１から蓋体２０を取り外すには、係合操作片４０Ｈをボックス１１から離れる側に押し広げればよい。ここで、Ｌ形部材４０の操作突片４１の下部は、包囲壁２１Ｂから下方に突出して係合操作片４０Ｈになる。従って、例えば、従来のコンテナで使用いられていた１対のレール（図１４参照）を流用し、従来と同様に係合操作片４０Ｈを１対のレールの外側に係合した状態にしてコンテナをレールに沿って移動すれることで、係合操作片４０Ｈを外側に押し広げて、蓋体２０をボックス１１から取り外すことができる。
【００３６】
上述したように蓋体２０をボックス１１に着脱する際に係合操作片４０Ｈが外側に押されてモーメント負荷を受けると、Ｌ形部材４０に備えた内面当接アーム４３が包囲壁２１Ｂの内面に押し付けられると共に、Ｌ形部材４０に備えた上面当接アーム４４が蓋体２０の上部当接壁３３に押し付けられる。即ち、係合操作片４０Ｈを含むＬ形部材４０全体に係るモーメント負荷は、蓋体２０の包囲壁２１Ｂと上部当接壁３３とに分散してかかり、従来のように蓋体２０の一部でモーメント負荷が局所的に大きくなることが防がれる。これにより、ボックス１１と蓋体２０との着脱に関する耐久性を向上させることができる。また、Ｌ形部材４０が破損した場合には、その破損したＬ形部材４０のみを予備のＬ形部材４０に交換すればよいので、従来のように蓋体に係合操作片が一体形成されている場合に比べて修理費を抑えることができる。
【００３７】
さらに、蓋体２０がボックス１１に取り付けられた状態で、係合操作片４０Ｈが外側から内側に押された場合には、係止突起４７と被係止部３４Ｂとの間の係合と、内面当接アーム４３とボックス１１の開口縁突部１３との当接とにより、操作突片４１にかかるモーメント負荷が受け止められる。従って、そのようなモーメント負荷を、係止突起４７と被係止部３４Ｂとの間の係合のみで受け止める場合に比べて、係止突起４７と被係止部３４Ｂの係合深さを浅くすることができる。これにより、係止突起４７と被係止部３４Ｂと係合させる操作時（即ち、Ｌ形部材４０と蓋体２０との組付操作時）の操作抵抗を小さくすることができる。
【００３８】
［第２実施形態］
本実施形態は図１２及び図１３に示されており、主としてＬ形部材５０の構成が第１実施形態のＬ形部材４０とは異なる。即ち、本実施形態のＬ形部材５０は、図１２に示すように、前記第１実施形態のＬ形部材４０から内面当接アーム４３及び上面当接アーム４４を排除した構造になっている。また、本実施形態の収容開口５２は、包囲壁２１Ｂの上端部から下端部まで一定の幅で開放しており、上面壁２１Ａに関しては包囲壁２１Ｂとの間で共通した角部のみが切除されている。そして、包囲壁２１Ｂには、収容開口５２の下端部を跨ぐように架橋部５１が差し渡されている。また、上面壁２１Ａには、収容開口５２から所定の間隔を開けた位置に門形の被係止部５３が突出形成されている。その他の構成に関しては、第１実施形態と同様であるので、重複した説明は省略する。
【００３９】
図１３に示すようにＬ形部材５０を蓋体２０に組み付けるには、Ｌ形部材５０の上端部を蓋体２０の下方から収容開口５２に通し、操作突片４１の一部を、包囲壁２１Ｂの一部である架橋部５１の内面に宛がう。そして、操作突片４１を上面壁２１Ａの上面に宛がい係止突起４７を被係止部５３に係止する。これにより、Ｌ形部材５０が蓋体２０に固定される。
【００４０】
なお、本実施形態では、操作突片４１のうち架橋部５１に宛がわれる部分が本発明に係る「内面当接部」に相当し、水平突片４２全体が本発明に係る「上面当接部」に相当する。
【００４１】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００４２】
（１）前記実施形態では、蓋体２０の４つの縁部のうち１対の外縁部にのみＬ形部材４０が取り付けられていたが、蓋体の４つ又は３つの縁部にそれぞれＬ形部材を取り付けた構成にしてもよい。
【００４３】
（２）前記実施形態のコンテナ１０は、鶏を搬送するための好適な構造を有していたが、本発明に係るコンテナの用途は養鶏搬送用に限定されるものではない。従って、前記実施形態のコンテナ１０のように複数の窓１６，２６を備える必要はなく、例えば、ボックスと蓋体とによって内部空間を密閉する構成にしてもよい。
【図面の簡単な説明】
【００４４】
【図１】本発明の第１実施形態に係るコンテナの斜視図
【図２】コンテナの部分斜視図
【図３】蓋体とＬ形部材の分解斜視図
【図４】Ｌ形部材の斜視図
【図５】蓋体を下面側から見た状態の斜視図
【図６】蓋体を下面側から見た状態の斜視図
【図７】蓋体を上面側から見た状態の斜視図
【図８】蓋体を上面側から見た状態の斜視図
【図９】蓋体及びＬ形部材の一部破断斜視図
【図１０】ボックス、蓋体及びＬ形部材の一部破断斜視図
【図１１】ボックス、蓋体及びＬ形部材の一部破断斜視図
【図１２】第２実施形態の蓋体とＬ形部材の分解斜視図
【図１３】蓋体にＬ形部材を取り付けた状態の斜視図
【図１４】従来のコンテナの斜視図
【図１５】従来のコンテナの部分断面図
【符号の説明】
【００４５】
１０    コンテナ
１１    ボックス
１１Ａ    開口
１３    開口縁突部
２０    蓋体
２１Ａ  上面壁
２１Ｂ  包囲壁
３１，５２    収容開口
３２    外側オフセット壁
３３    上部当接壁
３４    上側オフセット壁
３４Ｂ，５３  被係止部
４０，５０    Ｌ形部材
４０Ｈ  係合操作片
４１    操作突片
４２    水平突片
４３    内面当接アーム
４４    上面当接アーム
４６    蓋係止突起
４７    係止突起
【図４】
2006264703.tif 000003
【図１２】
2006264703.tif 000004
【図１３】
2006264703.tif 000005
【図１４】
2006264703.tif 000006
【図１５】
2006264703.tif 000007
【図１】
2006264703.tif 000008
【図２】
2006264703.tif 000009
【図３】
2006264703.tif 000010
【図５】
2006264703.tif 000011
【図６】
2006264703.tif 000012
【図７】
2006264703.tif 000013
【図８】
2006264703.tif 000014
【図９】
2006264703.tif 000015
【図１０】
2006264703.tif 000016
【図１１】
2006264703.tif 000017